(57)【要約】【課題】電力測定装置に設けられたコンセントに接続されない電気機器の消費電力を計測することが可能な電力測定装置を提供する。【解決手段】電力測定装置は、第１のコンセントと接続することが可能なプラグと、第１の電気機器のプラグと接続することが可能な第２のコンセントと、プラグと第２のコンセントとを接続する電力線と、電力線間に印加される電圧を計測する電圧計測回路と、電流を計測する電流計測回路と、第２の電気機器に流れる電流を検知する外部に設けられた検知回路と接続可能なコネクタと、第２のコンセントに接続された第１の電気機器に流れる電流を計測する場合の電流計測回路と電力線との間の電気的な接続と、第３のコンセントに接続された第２の電気機器に流れる電流を計測する場合にコネクタを介して検知回路と電流計測回路との間の電気的な接続とを切り替えることが可能な切替スイッチとを設ける。【選択図】図４
2014041089.tif 000002
【特許請求の範囲】
【請求項１】
電源と接続された第１のコンセントと接続することが可能なプラグと、
測定対象である第１の電気機器のプラグと接続することが可能な第２のコンセントと、
前記プラグと前記第２のコンセントとを接続する電力線と、
前記電力線間に印加される前記電源の電圧を計測する電圧計測回路と、
電流を計測する電流計測回路と、
別の測定対象である第２の電気機器に流れる電流を検知するために外部に設けられた検知回路と接続可能なコネクタと、
前記第２のコンセントに接続された前記第１の電気機器に流れる電流を計測する場合の前記電流計測回路と前記電力線との間の電気的な接続と、前記電源と接続された第３のコンセントに接続された前記第２の電気機器に流れる電流を計測する場合に前記コネクタを介して前記外部に設けられた検知回路と前記電流計測回路との間の電気的な接続とを切り替えることが可能な切替スイッチと、
前記電圧計測回路により計測される電圧値と、前記電流計測回路により計測される電流値を、Ａ／Ｄ変換するためのＡ／Ｄ変換回路と、
前記Ａ／Ｄ変換により変換された前記電圧値および電流値に基づいて、消費電力に関する情報を演算する演算回路と、
前記演算回路により演算された前記第１あるいは第２の電気機器の消費電力に関する情報を無線通信により外部機器に送信する通信回路と、
前記第１のコンセントに印加される前記電源の電圧により装置を駆動するために必要な電圧を供給する電源回路とを備える、電力測定装置。
【請求項２】
前記コネクタは、前記第２の電気機器の電力線を介して前記第２の電気機器に流れる電流を検知する前記検知回路と接続される、請求項１記載の電力測定装置。
【請求項３】
前記第１の電気機器のプラグと、前記第２の電気機器のプラグとは形状が異なり、
前記第２のコンセントに前記第２の電気機器のプラグは接続できない、請求項１記載の電力測定装置。
【請求項４】
電源と接続された第１のコンセントと接続することが可能なプラグと、
測定対象である第１の電気機器のプラグと接続することが可能な第２のコンセントと、
前記プラグと前記第２のコンセントとを接続する電力線と、
前記電力線間に印加される前記電源の電圧を計測する電圧計測回路と、
前記第２のコンセントに接続された前記第１の電気機器に流れる電流を計測する場合に前記電力線に流れる電流を計測する第１の電流計測回路と、
別の測定対象である第２の電気機器に流れる電流を検知するために外部に設けられた検知回路と接続可能なコネクタと、
前記電源と接続された第３のコンセントに接続された前記第２の電気機器に流れる電流を計測する場合に前記コネクタを介して前記検知回路に流れる電流を計測する第２の電流計測回路と、
前記電圧計測回路により計測される電圧値と、前記第１あるいは第２の電流計測回路のうちの少なくとも一方の電流値を、Ａ／Ｄ変換するためのＡ／Ｄ変換回路と、
前記Ａ／Ｄ変換により変換された前記電圧値および前記少なくとも一方の電流値に基づいて、前記第１あるいは第２の電気機器のうちの少なくとも一方の消費電力に関する情報を演算する演算回路と、
前記演算回路により演算された前記第１あるいは第２の電気機器のうちの少なくとも一方の消費電力に関する情報を無線通信により外部機器に送信する通信回路と、
前記第１のコンセントに印加される前記電源の電圧により装置を駆動するために必要な電圧を供給する電源回路とを備える、電力測定装置。
【請求項５】
前記第１の電気機器のプラグと、前記第２の電気機器のプラグとは形状が異なり、
前記第２のコンセントに前記第２の電気機器のプラグは接続されない、請求項４記載の電力測定装置。
【請求項６】
電気機器に流れる電流を検知するための検知回路と、
電気機器の消費電力を測定する電力測定装置とを備え、
前記電力測定装置は、
電源と接続された第１のコンセントと接続することが可能なプラグと、
測定対象である第１の電気機器のプラグと接続することが可能な第２のコンセントと、
前記プラグと前記第２のコンセントとを接続する電力線と、
前記電力線間に印加される前記電源の電圧を計測する電圧計測回路と、
電流を計測する電流計測回路と、
別の測定対象である第２の電気機器に流れる電流を検知する前記検知回路と接続可能なコネクタと、
前記第２のコンセントに接続された前記第１の電気機器に流れる電流を計測する場合の前記電流計測回路と前記電力線との間の電気的な接続と、前記電源と接続された第３のコンセントに接続された前記第２の電気機器に流れる電流を計測する場合に前記コネクタを介して前記外部に設けられた検知回路と前記電流計測回路との間の電気的な接続とを切り替えることが可能な切替スイッチと、
前記電圧計測回路により計測される電圧値と、前記電流計測回路により計測される電流値を、Ａ／Ｄ変換するためのＡ／Ｄ変換回路と、
前記Ａ／Ｄ変換により変換された前記電圧値および電流値に基づいて、消費電力に関する情報を演算する演算回路と、
前記演算回路により演算された前記第１あるいは第２の電気機器の消費電力に関する情報を無線通信により外部機器に送信する通信回路と、
前記第１のコンセントに印加される前記電源の電圧により装置を駆動するために必要な電圧を供給する電源回路とを含む、電力測定システム。
【請求項７】
電気機器に流れる電流を検知するための検知回路と、
電気機器の消費電力を測定する電力測定装置とを備え、
前記電力測定装置は、
電源と接続された第１のコンセントと接続することが可能なプラグと、
測定対象である第１の電気機器のプラグと接続することが可能な第２のコンセントと、
前記プラグと前記第２のコンセントとを接続する電力線と、
前記電力線間に印加される前記電源の電圧を計測する電圧計測回路と、
前記第２のコンセントに接続された前記第１の電気機器に流れる電流を計測する場合に前記電力線に流れる電流を計測する第１の電流計測回路と、
別の測定対象である第２の電気機器に流れる電流を検知するために外部に設けられた検知回路と接続可能なコネクタと、
前記電源と接続された第３のコンセントに接続された前記第２の電気機器に流れる電流を計測する場合に前記コネクタを介して前記検知回路に流れる電流を計測する第２の電流計測回路と、
前記電圧計測回路により計測される電圧値と、前記第１あるいは第２の電流計測回路のうちの少なくとも一方の電流値を、Ａ／Ｄ変換するためのＡ／Ｄ変換回路と、
前記Ａ／Ｄ変換により変換された前記電圧値および前記少なくとも一方の電流値に基づいて、前記第１あるいは第２の電気機器のうちの少なくとも一方の消費電力に関する情報を演算する演算回路と、
前記演算回路により演算された前記第１あるいは第２の電気機器のうちの少なくとも一方の消費電力に関する情報を無線通信により外部機器に送信する通信回路と、
前記第１のコンセントに印加される前記電源の電圧により装置を駆動するために必要な電圧を供給する電源回路とを含む、電力測定システム。
【発明の詳細な説明】
【技術分野】
【０００１】
本発明は、通信機能を備えた電力測定装置および電力測定システムに関する。
【背景技術】
【０００２】
従来の電力測定装置は、分電盤に設置されるため、全体の消費電力を計測することは可能であるが、個々の電気機器の消費電力を計測するのは困難であった。個々の電気機器の消費電力を計測しようとすると、コンセント周辺を電力測定のために加工する必要があるが、そのような加工は簡単にできるものではない。そこで、電気機器の消費電力を計測するコンセント接続型の電力測定装置が提案されている（例えば、特許文献１参照）。
【先行技術文献】
【特許文献】
【０００３】
【特許文献１】特開２０１１−１３７７８２号公報
【発明の概要】
【発明が解決しようとする課題】
【０００４】
この点で、上記の特許文献１等に示される従来の電力測定装置は、電力測定装置に設けられたコンセントに接続された電気機器の消費電力を計測するものであるが、当該コンセントに電気機器が接続されない電気機器の消費電力を計測することはできない。
【０００５】
本願発明は、上記の問題点に鑑みてなされたものであって、その目的は、電力測定装置に設けられたコンセントに接続されない電気機器の消費電力を計測することが可能な電力測定装置および電力測定システムを提供することを目的とする。
【課題を解決するための手段】
【０００６】
本発明のある局面に従う電力測定装置は、電源と接続された第１のコンセントと接続することが可能なプラグと、測定対象である第１の電気機器のプラグと接続することが可能な第２のコンセントと、プラグと第２のコンセントとを接続する電力線と、電力線間に印加される電源の電圧を計測する電圧計測回路と、電流を計測する電流計測回路と、別の測定対象である第２の電気機器に流れる電流を検知するために外部に設けられた検知回路と接続可能なコネクタと、第２のコンセントに接続された第１の電気機器に流れる電流を計測する場合の電流計測回路と電力線との間の電気的な接続と、電源と接続された第３のコンセントに接続された第２の電気機器に流れる電流を計測する場合にコネクタを介して外部に設けられた検知回路と電流計測回路との間の電気的な接続とを切り替えることが可能な切替スイッチと、電圧計測回路により計測される電圧値と、電流計測回路により計測される電流値を、Ａ／Ｄ変換するためのＡ／Ｄ変換回路と、Ａ／Ｄ変換により変換された電圧値および電流値に基づいて、消費電力に関する情報を演算する演算回路と、演算部により演算された第１あるいは第２の電気機器の消費電力に関する情報を無線通信により外部機器に送信する通信回路と、第１のコンセントに印加される電源の電圧により装置を駆動するために必要な電圧を供給する電源回路とを備える。
【０００７】
好ましくは、コネクタは、第２の電気機器の電力線を介して第２の電気機器に流れる電流を検知する検知回路と接続される。
【０００８】
好ましくは、第１の電気機器のプラグと、第２の電気機器のプラグとは形状が異なり、第２のコンセントに第２の電気機器のプラグは接続できない。
【０００９】
本発明の別の局面に従う電力測定装置は、電源と接続された第１のコンセントと接続することが可能なプラグと、測定対象である第１の電気機器のプラグと接続することが可能な第２のコンセントと、プラグと第２のコンセントとを接続する電力線と、電力線間に印加される電源の電圧を計測する電圧計測回路と、第２のコンセントに接続された第１の電気機器に流れる電流を計測する場合に電力線に流れる電流を計測する第１の電流計測回路と、別の測定対象である第２の電気機器に流れる電流を検知するために外部に設けられた検知回路と接続可能なコネクタと、電源と接続された第３のコンセントに接続された第２の電気機器に流れる電流を計測する場合にコネクタを介して検知回路に流れる電流を計測する第２の電流計測回路と、電圧計測回路により計測される電圧値と、第１あるいは第２の電流計測回路のうちの少なくとも一方の電流値を、Ａ／Ｄ変換するためのＡ／Ｄ変換回路と、Ａ／Ｄ変換により変換された電圧値および少なくとも一方の電流値に基づいて、第１あるいは第２の電気機器のうちの少なくとも一方の消費電力に関する情報を演算する演算回路と、演算部により演算された第１あるいは第２の電気機器のうちの少なくとも一方の消費電力に関する情報を無線通信により外部機器に送信する通信回路と、第１のコンセントに印加される電源の電圧により装置を駆動するために必要な電圧を供給する電源回路とを備える。
【００１０】
好ましくは、第１の電気機器のプラグと、第２の電気機器のプラグとは形状が異なり、第２のコンセントに第２の電気機器のプラグは接続されない。
【００１１】
本発明のある局面に従う電力測定システムは、電気機器に流れる電流を検知するための検知回路と、電気機器の消費電力を測定する電力測定装置とを備え、電力測定装置は、電源と接続された第１のコンセントと接続することが可能なプラグと、測定対象である第１の電気機器のプラグと接続することが可能な第２のコンセントと、プラグと第２のコンセントとを接続する電力線と、電力線間に印加される電源の電圧を計測する電圧計測回路と、電流を計測する電流計測回路と、別の測定対象である第２の電気機器に流れる電流を検知する検知回路と接続可能なコネクタと、第２のコンセントに接続された第１の電気機器に流れる電流を計測する場合の電流計測回路と電力線との間の電気的な接続と、電源と接続された第３のコンセントに接続された第２の電気機器に流れる電流を計測する場合にコネクタを介して外部に設けられた検知回路と電流計測回路との間の電気的な接続とを切り替えることが可能な切替スイッチと、電圧計測回路により計測される電圧値と、電流計測回路により計測される電流値を、Ａ／Ｄ変換するためのＡ／Ｄ変換回路と、Ａ／Ｄ変換により変換された電圧値および電流値に基づいて、消費電力に関する情報を演算する演算回路と、演算回路により演算された第１あるいは第２の電気機器の消費電力に関する情報を無線通信により外部機器に送信する通信回路と、第１のコンセントに印加される電源の電圧により装置を駆動するために必要な電圧を供給する電源回路とを含む。
【００１２】
本発明の別の局面に従う電力測定システムは、電気機器に流れる電流を検知するための検知回路と、電気機器の消費電力を測定する電力測定装置とを備え、電力測定装置は、電源と接続された第１のコンセントと接続することが可能なプラグと、測定対象である第１の電気機器のプラグと接続することが可能な第２のコンセントと、プラグと第２のコンセントとを接続する電力線と、電力線間に印加される電源の電圧を計測する電圧計測回路と、第２のコンセントに接続された第１の電気機器に流れる電流を計測する場合に電力線に流れる電流を計測する第１の電流計測回路と、別の測定対象である第２の電気機器に流れる電流を検知するために外部に設けられた検知回路と接続可能なコネクタと、電源と接続された第３のコンセントに接続された第２の電気機器に流れる電流を計測する場合にコネクタを介して検知回路に流れる電流を計測する第２の電流計測回路と、電圧計測回路により計測される電圧値と、第１あるいは第２の電流計測回路のうちの少なくとも一方の電流値を、Ａ／Ｄ変換するためのＡ／Ｄ変換回路と、Ａ／Ｄ変換により変換された電圧値および少なくとも一方の電流値に基づいて、第１あるいは第２の電気機器のうちの少なくとも一方の消費電力に関する情報を演算する演算回路と、演算回路により演算された第１あるいは第２の電気機器のうちの少なくとも一方の消費電力に関する情報を無線通信により外部機器に送信する通信回路と、第１のコンセントに印加される電源の電圧により装置を駆動するために必要な電圧を供給する電源回路とを含む。
【発明の効果】
【００１３】
本発明に従えば、電力測定装置に設けられたコンセントに接続されない電気機器の消費電力を計測することが可能である。
【図面の簡単な説明】
【００１４】
【図１】電力システムの概略構成を説明するための図である。
【図２】コンセント３０およびコンセント４０について説明する図である。
【図３】この実施の形態に係る電力測定システム１００の構成を説明する図である。
【図４】この実施の形態に係る電力測定システム２００の構成を説明する図である。
【図５】この実施の形態に係る電力測定システム３００の構成を説明する図である。
【発明を実施するための形態】
【００１５】
以下、図面を参照しつつ、本発明の各実施の形態に係る電力システムについて説明する。以下の説明では、同一の部品には同一の符号を付してある。それらの名称および機能も同じである。したがって、それらについての詳細な説明は繰り返さない。
【００１６】
＜電力システム構成＞
図１は、電力システムの概略構成を説明するための図である。
【００１７】
図１を参照して、電力システムは、宅内に引き込まれた単相３線式の電力線と接続された分電盤１を有し、分電盤１は、主管ブレーカ２と、分岐ブレーカ４〜１２とを有する。
【００１８】
主管ブレーカ２、分岐ブレーカ４〜１２は、内部の過負荷等の要因で二次側の回路（負荷、電路）に異常な電流が流れたときに電路を開放し、一次側からの電源供給を遮断することにより負荷回路を損傷から回避する。なお、本例において、分岐ブレーカ４〜１２は、３線の電力線のうちの同じ２線と接続されており同一の電圧（たとえば１２５Ｖ）が供給されるものとする。
【００１９】
分岐ブレーカ４〜１２は、それぞれコンセント３０Ａ、４０Ａ、３０Ｂ、４０Ｂ、３０Ｃと接続される。コンセント３０Ａ〜３０Ｃは、総称してコンセント３０とも称する。コンセント４０Ａ，４０Ｂは、総称してコンセント４０とも称する。
【００２０】
本例においては、コンセント３０Ａ〜３０Ｃと、当該コンセント３０Ａ〜３０Ｃに対してそれぞれ接続される電力測定装置５０Ａ，５０Ｂ，５０＃とが設けられる。電力測定装置５０Ａ，５０Ｂ，５０＃は、各種の被電力測定機器の電力を測定する。
【００２１】
電力測定装置５０Ａ，５０Ｂ，５０＃は、電力表示装置２０と通信可能に設けられ、測定した消費電力に関する情報を電力表示装置２０に送信する。
【００２２】
電力表示装置２０は、電力測定装置５０Ａ，５０Ｂ，５０＃から送信された測定した消費電力に関する情報をたとえば、当該装置に設けられたディスプレイ等を用いて表示することが可能である。
【００２３】
本例においては、コンセント３０Ａに電力測定装置５０Ａが接続され、当該電力測定装置５０Ａに被電力測定機器３６のプラグ３４が接続されて被電力測定機器３６の電力を測定する構成が示されている（電力測定システム１００）。
【００２４】
また、別の例においては、コンセント３０Ｂに電力測定装置５０Ｂが接続され、コンセント４０Ａに被電力測定機器４２のプラグ３８が接続されていて、被電力測定機器４２に流れる電流を測定するために外部電流センサ７０が被電力測定機器４２のプラグ３８に接続される配線にクランプされている構成が示されている（電力測定システム２００）。
【００２５】
さらに、別の例においては、コンセント３０Ｃに電力測定装置５０＃が接続され、当該電力測定装置５０＃に被電力測定機器６８のプラグ４８が接続されるとともに、コンセント４０Ｂに被電力測定機器４６のプラグ４４が接続されていて、被電力測定機器４６に流れる電流を測定するために電流センサ７２が被電力測定機器４６のプラグ４４に接続される配線にクランプされている構成が示されている（電力測定システム３００）。
【００２６】
図２は、コンセント３０およびコンセント４０について説明する図である。
図２（Ａ）および（Ｂ）を参照して、コンセント３０とコンセント４０との相違点は、差し込まれる（接続する）プラグの形状が異なる。当該プラグの形状は、供給される電圧および定格電流値に従ってそれぞれ異なる。本例においては、一例としてコンセント３０は、たとえば電圧１２５Ｖおよび定格電流値１５Ａの電気機器のプラグに対応している。また、コンセント４０は、たとえば電圧１２５Ｖおよび定格電流値２０Ａの電気機器のプラグに対応している。
【００２７】
以下、それぞれの測定形態（電力測定システム）１００について説明する。
＜電力測定システム１００＞
図３は、この実施の形態に係る電力測定システム１００の構成を説明する図である。
【００２８】
図３を参照して、この実施の形態に係る電力測定システム１００は、コンセント３０Ａと、電力測定装置５０Ａと、電力表示装置２０とを含む。
【００２９】
まず、電力測定装置５０Ａの詳細な構成について説明する。
電力測定装置５０Ａは、プラグ５２とコンセント５４とを含む。
【００３０】
プラグ５２は、家屋等に設置されたコンセント３０Ａと接続される。コンセント５４には、測定対象となる被電力測定機器３６のプラグ３４が接続される。
【００３１】
電力測定装置５０Ａは、２本の電力線５３をさらに含む。２本の電力線５３は、プラグ５２とコンセント５４とを接続している。
【００３２】
電力測定装置５０Ａは、電源回路６６をさらに含む。電源回路６６は、２本の電力線５３に接続されている。電源回路６６は、プラグ５２から印加される交流電圧を、直流電圧に変換して、電力測定装置５０内の各部の動作に必要な電源電圧が供給される。
【００３３】
電力測定装置５０Ａは、電圧計測回路６１と電流計測回路６２とをさらに含む。
電圧計測回路６１は、プラグ５２とコンセント５４との間の電力線５３間に印加される電圧を計測する。
【００３４】
２本の電力線５３の他方には電流センサ５６が設けられ、当該電流センサ５６は、切替スイッチ５８を介して電流計測回路６２と接続される。
【００３５】
電流計測回路６２は、切替スイッチ５８を介して電流センサ５６あるいは、外部の電流センサからの入力に従う電流を計測する。
【００３６】
切替スイッチ５８は、指示に従って電流センサ５６と電流計測回路６２との電気的な接続と、コネクタ６０と電流計測回路６２との電気的な接続とを切り替える。本例においては、コネクタ６０に対する外部機器（外部電流センサ）の挿入に応答して接続が切り替えられるものとする。なお、本例においては、コネクタ６０には外部機器は挿入されておらず、切替スイッチ５８は、電流センサ５６と電流計測回路６２との間の電気的な経路を形成する。
【００３７】
コネクタ６０は、後述するが外部機器である外部電流センサと接続可能に設けられている。
【００３８】
電力測定装置５０Ａは、Ａ／Ｄ変換部６３、電力演算部６４、通信部６５をさらに含む。
【００３９】
Ａ／Ｄ変換部６３は、電圧計測回路６１および電流計測回路６２からの電圧および電流のアナログ信号をデジタル値に変換して電力演算部６４に出力する。
【００４０】
電力演算部６４は、Ａ／Ｄ変換部６３からの出力である電圧値および電流値に基づいて、所定の演算を行って、被電力測定機器の消費電力に関する計測データを算出する。たとえば、電圧値および電流値を乗算することにより消費電力を算出することが可能である。
【００４１】
通信部６５は、電力演算部６４から被電力測定機器の消費電力に関する計測データの入力を受けて、その計測データを、アンテナを介して無線通信により外部機器である電力表示装置２０に送信する。通信部６５は、例えば、ＺｉｇＢｅｅ（登録商標）モジュールである。
【００４２】
電力表示装置２０は、電力測定装置５０Ａとの間で無線通信を行うため、ＺｉｇＢｅｅ（登録商標）モジュールを内蔵している。電力表示装置２０は、電力測定装置５０Ａから送信された被電力測定機器の消費電力に関する計測データを受信して、表示することが可能である。たとえば、数値又はグラフ表示等のユーザに分かりやすい形式にて、電力測定装置５０Ａが計測した被電力測定機器の消費電力や、消費電力量等の消費電力に関する計測データを表示することが可能である。
【００４３】
本電力測定システム１００の構成においては、電力測定装置５０Ａのコンセント５４に被電力測定機器３６のプラグ３４が接続される。
【００４４】
電力測定装置５０Ａのプラグ５２から入力される交流電圧は、電源回路６６で整流されて、直流電圧に変換され、各部に必要な電源電圧を供給する。電源電圧が供給されることにより、各部の駆動動作を開始する。
【００４５】
そして、電圧計測回路６１は、プラグ５２を介して入力されるコンセント３０Ａに印加される電圧信号を計測する。
【００４６】
また、被電力測定機器３６がプラグ３４を介してコンセント５４に接続されている。電流計測回路６２は、被電力測定機器３６の接続に従い切替スイッチ５８を介して電流センサ５６で検知された電流信号を計測する。
【００４７】
Ａ／Ｄ変換部６３は、電圧計測回路６１および電流計測回路６２で計測された電圧信号および電流信号をデジタル値に変換して電力演算部６４に出力する。通信部６５は、電力演算部６４で算出された消費電力に関する計測データを電力表示装置２０に送信する。
【００４８】
当該構成により電力測定装置５０Ａは、被電力測定機器３６の消費電力に関する計測データを演算して、電力表示装置２０に送信することが可能である。
【００４９】
＜電力測定システム２００＞
図４は、この実施の形態に係る電力測定システム２００の構成を説明する図である。
【００５０】
図４を参照して、この実施の形態に係る電力測定システム２００は、コンセント４０Ａと、コンセント３０Ｂと、電力測定装置５０Ｂと、電力表示装置２０と、被電力測定機器４２と、被電力測定機器４２のプラグ３８と、外部電流センサ７０とを含む。
【００５１】
電力測定装置５０Ｂの構成については、電力測定装置５０Ａの構成と同様であるのでその詳細な説明は繰り返さない。
【００５２】
本例においては、コネクタ６０に外部電流センサ７０が接続された場合が示されている。当該接続に従い切替スイッチ５８が切り替えられて、切替スイッチ５８は、コネクタ６０を介して外部に設けられた電流センサ５６と電流計測回路６２との間の電気的な経路を形成する。
【００５３】
また、本例においては、コンセント４０Ａには、被電力測定機器４２のプラグ３８が接続される。また、コンセント３０Ｂには、電力測定装置５０Ｂのプラグ５２が接続される。なお、電力測定装置５０Ｂのコンセント５４には何も接続されない。外部電流センサ７０は、プラグ３８と被電力測定機器４２とを接続する電力線の一方に設けられるものとする。具体的には、外部電流センサ７０は、クランプ型の電流センサを用いるものとする。
【００５４】
本電力測定システム２００においては、コンセント３０Ｂに電力測定装置５０Ｂが接続され、プラグ５２から入力される交流電圧は、電源回路６６で整流されて、直流電圧に変換され、各部に必要な電源電圧を供給する。電源電圧が供給されることにより、各部の駆動動作を開始する。
【００５５】
そして、電圧計測回路６１は、電力線５３間に印加される電圧信号を計測する。なお、コンセント４０Ａおよびコンセント３０Ｂは、３線の電力線のうちの同じ２線と接続されており印加される電圧信号は同じであり同じ値となる。
【００５６】
また、被電力測定機器４２は、プラグ３８を介してコンセント４０Ａに接続されている。また、外部電流センサ７０がプラグ３８と被電力測定機器４２とを接続する電力線の一方に設けられており、外部電流センサ７０で電流信号が検知され、電流計測回路６２で計測される。
【００５７】
Ａ／Ｄ変換部６３は、電圧計測回路６１および電流計測回路６２で計測された電圧および電流信号をデジタル値に変換して電力演算部６４に出力する。通信部６５は、電力演算部６４で算出された消費電力に関する計測データを電力表示装置２０に送信する。
【００５８】
当該構成により電力測定装置５０Ｂは、被電力測定機器４２の消費電力に関する計測データを演算して、電力表示装置２０に送信することが可能である。
【００５９】
すなわち、被電力測定機器４２のプラグ３８の形状がコンセント４０Ａに対応したものであり、コンセント３０Ｂに対応したものでない場合であっても外部電流センサ７０と接続された電力測定装置５０Ｂにより消費電力に関する計測データを演算した電力表示装置２０に送信することが可能である。つまり、外部電流センサ７０を接続可能なコネクタを電力測定装置５０に設けることにより機能を拡張し、当該電力測定装置に設けられたコンセントに接続されない被電力測定機器であっても消費電力に関する計測データを計測することが可能となる。すなわち、当該コネクタを設けることにより、電力測定装置で測定可能な被電力測定機器の自由度が増大する。
【００６０】
なお、切替スイッチ５８が切り替えられて、電流センサ５６と電流計測回路６２との間の電気的な経路が形成される場合であっても電力測定装置５０Ｂを駆動するための電源電圧は切り替えられず、プラグ５２から印加される交流電圧を、直流電圧に変換して、電力測定装置５０Ｂ内の各部の動作に必要な電源電圧が供給される。
【００６１】
＜電力測定システム３００＞
図５は、この実施の形態に係る電力測定システム３００の構成を説明する図である。
【００６２】
図５を参照して、この実施の形態に係る電力測定システム３００は、コンセント４０Ｂと、コンセント３０Ｂと、電力測定装置５０＃と、電力表示装置２０と、被電力測定機器４６と、被電力測定機器４６のプラグ４４と、外部電流センサ７２とを含む。
【００６３】
電力測定装置５０＃の詳細な構成について説明する。
電力測定装置５０＃は、電力測定装置５０と比較して、切替スイッチ５８を除くとともに、電流計測回路６７をさらに設けた点が異なる。すなわち、電流センサ５６は、電流計測回路６２と電気的に接続され、電流計測回路６７はコネクタ６０と接続される。そして、Ａ／Ｄ変換部６３は、電圧計測回路６１、電流計測回路６２，６７からのアナログ信号を受けてデジタル値に変換する。その他の構成については同様であるのでその詳細な構成については説明を繰り返さない。
【００６４】
本例においては、コンセント４０Ｂに被電力測定機器４６のプラグ４４が接続される場合が示されている。また、コンセント３０Ｃには、電力測定装置５０＃のプラグ５２が接続される。
【００６５】
電力測定装置５０＃のコンセント５４には、被電力測定機器６８のプラグ４８が接続される。
【００６６】
また、コネクタ６０に外部電流センサ７２が接続された場合が示されている。
外部電流センサ７２は、プラグ４４と被電力測定機器４６とを接続する電源線の一方に設けられるものとする。具体的には、外部電流センサ７２は、クランプ型の電流センサを用いるものとする。
【００６７】
本電力測定システム３００においては、コンセント３０Ｃに電力測定装置５０＃が接続され、プラグ５２から入力される交流電圧は、電源回路６６で整流されて、直流電圧に変換され、各部に必要な電源電圧を供給する。電源電圧が供給されることにより、各部の駆動動作を開始する。
【００６８】
そして、電圧計測回路６１は、電力線５３間に印加される電圧信号を計測する。なお、コンセント４０Ｂおよびコンセント３０Ｃは、３線の電力線のうちの同じ２線と接続されており印加される電圧信号は同じであり同じ値となる。
【００６９】
また、被電力測定機器６８は、プラグ４８を介してコンセント５４に接続されている。
電流計測回路６２は、被電力測定機器６８の接続に従い電流センサ５６で検知された電流信号を計測する。
【００７０】
Ａ／Ｄ変換部６３は、電圧計測回路６１および電流計測回路６２で計測された電圧および電流信号をデジタル値に変換して電力演算部６４に出力する。通信部６５は、電力演算部６４で算出された消費電力に関する計測データを電力表示装置２０に送信する。
【００７１】
当該構成により電力測定装置５０＃は、被電力測定機器６８の消費電力に関する計測データを演算して、電力表示装置２０に送信することが可能である。
【００７２】
また、被電力測定機器４６は、プラグ４４を介してコンセント４０Ｂに接続されている。また、外部電流センサ７２がプラグ４４と被電力測定機器４６とを接続する電源線の一方に設けられており、外部電流センサ７２で検知された電流信号がコネクタ６０を介して電流計測回路６７で計測される。
【００７３】
Ａ／Ｄ変換部６３は、電圧計測回路６１および電流計測回路６７で計測された電圧および電流信号をデジタル値に変換して電力演算部６４に出力する。通信部６５は、電力演算部６４で算出された消費電力に関する計測データを電力表示装置２０に送信する。
【００７４】
当該構成により電力測定装置５０＃は、被電力測定機器４６の消費電力に関する計測データを演算して、電力表示装置２０に送信することが可能である。
【００７５】
すなわち、被電力測定機器４６のプラグ４４の形状がコンセント４０Ｂに対応したものであり、コンセント３０Ｃに対応したものでない場合であっても外部電流センサ７２と接続された電力測定装置５０＃により消費電力に関する計測データを演算した電力表示装置２０に送信することが可能である。つまり、外部電流センサ７２と接続可能なコネクタを電力測定装置５０＃に設けることにより機能を拡張し、当該電力測定装置に設けられたコンセントに接続されない被電力測定機器であっても消費電力に関する計測データを計測することが可能となる。また、電力測定装置５０＃においては、電流計測回路を複数設けることにより、電力測定装置５０＃のコンセント５４に接続された被電力測定機器についても消費電力に関する計測データを計測することが可能となる。
【００７６】
したがって、１つの電力測定装置において、複数の被電力測定機器の消費電力を計測することが可能であるためコストや、設置面積の面でも有利である。
【００７７】
なお、電力測定装置５０＃は、被電力測定機器のコンセント５４に接続された被電力測定機器およびコネクタを介して接続された被電力測定機器の一方あるいは両方について消費電力に関する計測データを計測することが可能な場合について説明したが、いずれの場合であってもプラグ５２から印加される交流電圧を、直流電圧に変換して、電力測定装置５０＃内の各部の動作に必要な電源電圧が供給される。
【００７８】
なお、本例においては、コネクタ６０と接続される外部機器としてクランプ型の外部電流センサと接続可能に設けられている場合について説明したが、特に、クランプ型に限らず、電流を検知可能であればどのような方式を採用していても良い。
【００７９】
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【００８０】
１  分電盤、２  主管ブレーカ、４〜１２  分岐ブレーカ、２０  電力表示装置、３０Ａ〜３０Ｃ，４０Ａ，４０Ｂ，５４  コンセント、３４，３８，４４，４８，５２  プラグ、３６，４２，４６，６８  被電力測定機器、５０Ａ，５０Ｂ，５０＃  電力測定装置、５３  電力線、５６，７２  電流センサ、５８  切替スイッチ、６０  コネクタ、６１  電圧計測回路、６２，６７  電流計測回路、６３  Ａ／Ｄ変換部、６４  電力演算部、６５  通信部、６６  電源回路、７２  外部電流センサ。
【図１】
2014041089.tif 000003
【図２】
2014041089.tif 000004
【図３】
2014041089.tif 000005
【図４】
2014041089.tif 000006
【図５】
2014041089.tif 000007